(57)【要約】【課題】電位が印加されることにより情報を表示し、その後、電位が印加されなくなってもその表示状態が維持される表示装置について、情報が変化しない領域においてもそのコントラストの低下を抑制することができるとともに、その後、その領域において情報が変化しにくくなることを回避する。【解決手段】表示電極１０ａ，１０ｄと対向する領域における表示を維持するために、表示電極１０ａ，１０ｄと透明電極３２とを同電位とする工程に、表示電極１０ａあるいは透明電極３２に引き寄せられていた帯電性粒子４３が表示電極１０ａあるいは透明電極３２にさらに引き寄せられるような電位を表示電極１０ａ，１０ｄ及び透明電極３２に印加する工程を加える。【選択図】図４
2011075640.tif 000002
【特許請求の範囲】
【請求項１】
表示する情報に応じて第１及び第２の電位のいずれか一方が選択的に印加される複数の表示電極と、前記複数の表示電極に対向配置され、表示する情報に応じて前記第１及び第２の電位のいずれか一方が印加される共通電極と、帯電性粒子を具備して前記複数の表示電極と前記共通電極との間に挟み込まれて配置され、前記複数の表示電極に対向する領域のそれぞれについて、前記表示電極と前記共通電極とが同電位の領域では前記帯電性粒子が前記表示電極と前記共通電極との間を移動せず、前記表示電極に前記第１の電位が印加され前記共通電極に前記第２の電位が印加された領域では前記帯電性粒子が前記表示電極に引き寄せられ、前記表示電極に前記第２の電位が印加され前記共通電極に前記第１の電位が印加された領域では前記帯電性粒子が前記共通電極に引き寄せられることにより情報を表示する情報表示層とを有する表示装置の駆動方法であって、
前記情報表示層のうち前記帯電性粒子が前記表示電極側に引き寄せられた第１及び第２の領域と、前記情報表示層のうち前記帯電性粒子が前記共通電極側に引き寄せられた第３及び第４の領域について、前記第１及び第４の領域の表示を維持し、前記第２及び第３の領域の表示を変化させる場合、
前記共通電極、並びに前記第１、第３及び第４の領域に対向する表示電極に前記第１の電位を印加するとともに、前記第２の領域に対向する表示電極に前記第２の電位を印加する第１の工程と、
前記共通電極、並びに前記第１、第２及び第４の領域に対向する表示電極に前記第２の電位を印加するとともに、前記第３の領域に対向する表示電極に前記第１の電位を印加する第２の工程と、
前記共通電極、並びに前記第１及び第３の領域に対向する表示電極に前記第１の電位を印加するとともに、前記第２及び第４の領域に対向する表示電極に前記第２の電位を印加する第３の工程と、
前記共通電極、並びに前記第２及び第４の領域に対向する表示電極に前記第２の電位を印加するとともに、前記第１及び第３の領域に対向する表示電極に前記第１の電位を印加する第４の工程とを有し、
前記第１の工程の時間と前記第３の工程の時間とを加算した時間、及び前記第２の工程の時間と前記第４の工程の時間とを加算した時間はそれぞれ、前記第２及び第３の領域において前記帯電性粒子が前記共通電極と前記表示電極との間を移動する時間以上である、表示装置の駆動方法。
【発明の詳細な説明】
【技術分野】
【０００１】
本発明は、電位が印加されることにより情報を表示し、その後、電位が印加されなくなってもその表示状態が維持される表示装置の駆動方法に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電位が印加された場合にその電位に応じて帯電性粒子が液体内を移動することにより、情報を表示する電気泳動ディスプレイがある（例えば、特許文献１参照。）。このような薄型の情報表示装置は、紙のように薄いために携帯がしやすいとともに、消費電力が少なく、また視野角が広く、さらには、電極に印加する電位によって表示される情報を書き換えることができるとともに、電源を切断した場合でも表示状態を維持できることから、今後のさらなる普及が予想される。
【０００４】
図６は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図６に示すように、表示する情報に応じた複数の表示電極１１０がベース基板１２０上に形成されてなる表示装置用電極基板１０１に、表示装置用電極基板１０１の表示電極１１０に印加された電位に応じて情報を表示するディスプレイ部１０２が積層されて構成されている。表示電極１１０は、ベース基板１２０に形成された配線（不図示）を介して、表示する情報に応じた電位が印加される。ディスプレイ部１０２は、ガラス等からなる透明基板１３１の一方の面に透明電極（例えば、ＩＴＯ：Indium Tin Oxide）１３２が形成されてなる透明導電膜基板１３０の透明電極１３２側に、表示装置用電極基板１０１の表示電極１１０及び透明電極１３２に印加された電位に応じて情報を表示する情報表示層１４０が積層されて構成されている。情報表示層１４０は、隔壁１４１とシール層１４４とで囲まれた領域に、帯電性粒子１４３が分散した隔壁内液体１４２が収容されて構成されている。そして、これら表示装置用電極基板１０１、情報表示層１４０及び透明導電膜基板１３０は、透明電極１３２と表示電極１１０とが、隔壁１４１とシール層１４４とで囲まれた領域に収容された隔壁内液体１４２を介して対向するように積層されている。なお、隔壁１４１は、底部と、情報表示層１４０の外周部となる側部と、側部で囲まれた領域を複数の領域に区画するための壁部とからなり、底部とは反対側の面が開口した形状となっている。そして、底部側が表示装置用電極基板１１０に対向するように積層されており、開口した側にシール層１４４が積層されている。
【０００６】
以下に、上記のように構成された電気泳動ディスプレイの駆動方法について説明する。
【０００７】
図７は、図６に示した電気泳動ディスプレイの動作を説明するための図であり、（ａ）は情報表示層１３０の状態を示す図であり、（ｂ）は表示される情報を示す図である。
【０００８】
図６に示した電気泳動ディスプレイにて情報を表示する場合、例えば、透明電極１３２をＬｏｗレベル電位とするとともに、複数の表示電極１１０に対してＨｉｇｈレベル電位またはＬｏｗレベル電位を選択的に印加する。すると、隔壁１４１及びシール層１４４で囲まれた領域に収容された隔壁内液体１４２が誘電性物質からなり、帯電性粒子１４３がプラス電位に帯電しているものであることから、図７（ａ）に示すように、情報表示層１４０のうちＨｉｇｈレベル電位が印加された表示電極１１０に対向する領域においては、帯電性粒子１４３がクーロン力によって透明電極１３２側に引き寄せられ、また、情報表示層１４０のうちＬｏｗレベル電位が印加された表示電極１１０に対向する領域においては、帯電性粒子１４３が隔壁内液体１４２内を移動しない。また、透明電極１３２をＨｉｇｈレベル電位とした場合は、情報表示層１４０のうちＨｉｇｈレベル電位が印加された表示電極１１０に対向する領域においては帯電性粒子１４３が隔壁内液体１４２内を移動せず、また、情報表示層１４０のうちＬｏｗレベル電位が印加された表示電極１１０に対向する領域においては、帯電性粒子１４３がクーロン力によって表示電極１１０側に引き寄せられる。
【０００９】
そして、隔壁内液体１４２が染料または顔料で着色されており、帯電性粒子１４３が高屈折率の光散乱成分を含むため、図７（ｂ）に示すように、表示電極１１０側に帯電性粒子１４２が引き寄せられた領域が着色された黒表示部１５０となり、また、透明電極１３２側に帯電性粒子１４２が引き寄せられた領域が白表示部１６０となり、それにより、透明導電膜基板１３０を表示装置用電極基板１０１とは反対側から見た場合、この黒表示部１５０と白表示部１６０とによる情報が見えるようになる。
【００１０】
ここで、上記のように表示された情報を変化させるための駆動方法について説明する。
【００１１】
図８は、図６及び図７に示した電気泳動ディスプレイにおける表示の変化例を示す図であり、（ａ）は変化前の情報を示す図、（ｂ）は変化後の情報を示す図である。
【００１２】
本例においては、図６及び図７に示した電気泳動ディスプレイにおいて、図８（ａ）に示すような“６：２２”という時刻が表示された状態から、図８（ｂ）に示すような“６：２３”という時刻が表示された状態に変化させる場合について説明する。
【００１３】
図８に示すように、“６：２２”という時刻が表示された状態から、“６：２３”という時刻が表示された状態に変化させる場合、表示部１７０ａにおいては黒表示のままであり、表示部１７０ｂにおいては黒表示から白表示に変化する。また、表示部１７０ｃにおいては白表示から黒表示に変化し、表示部１７０ｄにおいては白表示のままである。
【００１４】
図９は、図６及び図７に示した電気泳動ディスプレイにおいて図８に示したように情報を変化させる場合の駆動方法の一例を説明するための図である。なお、図９においては、図８に示した表示部１７０ａ〜１７０ｄに対応する表示電極をそれぞれ表示電極１１０ａ〜１１０ｄとして示している。
【００１５】
初期状態として、図９（ａ）に示すように、情報表示層１４０のうち表示電極１１０ａ，１１０ｂと対向する領域においては、帯電性粒子１４３が表示電極１１０ａ，１１０ｂ側に引き寄せられ、また、情報表示層１４０のうち表示電極１１０ｃ，１１０ｄと対向する領域においては、帯電性粒子１４３が透明電極１３２側に引き寄せられ、それにより、図８（ａ）に示すように、表示部１７０ａ，１７０ｂが黒表示となり、また、表示部１７０ｃ，１７０ｄが白表示となっている。
【００１６】
この状態から、図８（ｂ）に示した表示状態とするために、まず、透明電極１３２及び表示電極１１０ａ，１１０ｃ，１１０ｄにそれぞれＬｏｗレベル電位を印加するとともに、表示電極１１０ｂにＨｉｇｈレベル電位を印加する。すると、図９（ｂ）に示すように、情報表示層１４０のうち表示電極１１０ａと対向する領域においては、表示電極１１０ａが透明電極１３２と同電位であることにより、帯電性粒子１４３が表示電極１１０ａ側に引き寄せられた状態のままとなり、また、情報表示層１４０のうち表示電極１１０ｃ，１１０ｄと対向する領域においては、表示電極１１０ｃ，１１０ｄが透明電極１３２と同電位であることにより、帯電性粒子１４３が透明電極１３２側に引き寄せられた状態のままとなる。また、情報表示層１４０のうち表示電極１１０ｂと対向する領域においては、透明電極１３２にＬｏｗレベル電位が印加され、表示電極１１０ｂにＨｉｇｈレベル電位が印加されていることにより、帯電性粒子１４３が隔壁内液体１４２内を移動し、透明電極１３２側に引き寄せられていく。
【００１７】
次に、透明電極１３２及び表示電極１１０ａ，１１０ｂ，１１０ｄにそれぞれＨｉｇｈレベル電位を印加するとともに、表示電極１１０ｃにＬｏｗレベル電位を印加する。すると、図９（ｃ）に示すように、情報表示層１４０のうち表示電極１１０ａと対向する領域においては、表示電極１１０ａが透明電極１３２と同電位であることにより、帯電性粒子１４３が表示電極１１０ａ側に引き寄せられた状態のままとなり、また、情報表示層１４０のうち表示電極１１０ｂ，１１０ｄと対向する領域においては、表示電極１１０ｂ，１１０ｄが透明電極１３２と同電位であることにより、帯電性粒子１４３が透明電極１３２側に引き寄せられた状態のままとなる。また、情報表示層１４０のうち表示電極１１０ｃと対向する領域においては、透明電極１３２にＨｉｇｈレベル電位が印加され、表示電極１１０ｃにＬｏｗレベル電位が印加されていることにより、帯電性粒子１４３が隔壁内液体１４２内を移動し、表示電極１１０ｃ側に引き寄せられていく。
【００１８】
このようにして、図９（ｄ）に示すように、情報表示層１４０のうち表示電極１１０ａと対向する領域においては、表示電極１１０ａ側に引き寄せられていた帯電性粒子１４３が表示電極１１０ａ側に引き寄せられた状態のままとなり、情報表示層１４０のうち表示電極１１０ｂと対向する領域においては、表示電極１１０ｂ側に引き寄せられていた帯電性粒子１４３が透明電極１３２側に引き寄せられた状態となり、情報表示層１４０のうち表示電極１１０ｃと対向する領域においては、透明電極１３２側に引き寄せられていた帯電性粒子１４３が表示電極１１０ｃ側に引き寄せられた状態となり、情報表示層１４０のうち表示電極１１０ｄと対向する領域においては、透明電極１３２側に引き寄せられていた帯電性粒子１４３が透明電極１３２側に引き寄せられた状態のままとなり、電気泳動ディスプレイに表示される情報が、図８（ａ）に示したような情報“６：２２”から、図８（ｂ）に示したような情報“６：２３”に変化することになる。
【００１９】
ここで、上述したような電気泳動ディスプレイにおいては、表示電極１１０ａ〜１１０ｄと透明電極１３２のいずれか一方の側に引き寄せられていた帯電性粒子１４３が隔壁内液体１４２内を移動して反対側に引き寄せられるまでにある程度の時間がかかる。そのため、上述したような処理をその時間内において１工程で行った場合、黒表示から白表示に変化する領域と、白表示から黒表示に変化する領域とで、表示の変化にずれが発生し、その変化のずれが肉眼で認識されてしまう。
【００２０】
そこで、上述したような処理が、表示電極１１０ａ〜１１０ｄと透明電極１３２のいずれか一方の側に引き寄せられていた帯電性粒子１４３が隔壁内液体１４２内を移動して反対側に引き寄せられるまでにかかる時間内で複数回繰り返し行われている。
【００２１】
図１０は、図９に示した駆動方法において透明電極１３２及び表示電極１１０に印加される電位を示すタイミングチャートであり、（ａ）は透明電極１３２に印加される電位を示す図、（ｂ）は表示部１７０ａに対応する表示電極１１０ａに印加される電位を示す図、（ｃ）は表示部１７０ｂに対応する表示電極１１０ｂに印加される電位を示す図、（ｄ）は表示部１７０ｃに対応する表示電極１１０ｃに印加される電位を示す図、（ｅ）は表示部１７０ｄに対応する表示電極１１０ｄに印加される電位を示す図である。
【００２２】
図６及び図７に示した電気泳動ディスプレイに対して図９に示したような駆動を行う場合、表示電極１１０ｂ，１１０ｃには、Ｈｉｇｈレベル電位とＬｏｗレベル電位のいずれか一方が常に印加されるのに対して、透明電極１３２と表示電極１１０ａ，１１０ｄには、図９（ｂ）に示した工程と図９（ｃ）に示した工程とで、Ｈｉｇｈレベル電位とＬｏｗレベル電位とが交互に印加される。そのため、図１０に示すように、透明電極１３２と表示電極１１０ａ，１１０ｄに対しては、表示電極１１０ａ〜１１０ｄと透明電極１３２のいずれか一方の側に引き寄せられていた帯電性粒子１４３が隔壁内液体１４２内を移動して反対側に引き寄せられるまでにかかる時間内において、Ｈｉｇｈレベル電位とＬｏｗレベル電位とを複数回交互に印加する。
【００２３】
それにより、情報表示層１４０のうち表示電極１１０ｂと対向する領域が黒表示から白表示に変化する時間と、情報表示層１４０のうち表示電極１１０ｃと対向する領域が白表示から黒表示に変化する時間とのずれを小さくすることができる。
【００２４】
図１１は、図６及び図７に示した電気泳動ディスプレイにおいて図８に示したように情報を変化させる場合の駆動方法の他の例を説明するための図である。なお、図１１においても、図８に示した表示部１７０ａ〜１７０ｄに対応する表示電極をそれぞれ表示電極１１０ａ〜１１０ｄとして示している。
【００２５】
初期状態として、図１１（ａ）に示すように、情報表示層１４０のうち表示電極１１０ａ，１１０ｂと対向する領域においては、帯電性粒子１４３が表示電極１１０ａ，１１０ｂ側に引き寄せられ、また、情報表示層１４０のうち表示電極１１０ｃ，１１０ｄと対向する領域においては、帯電性粒子１４３が透明電極１３２側に引き寄せられ、それにより、図８（ａ）に示すように、表示部１７０ａ，１７０ｂが黒表示となり、また、表示部１７０ｃ，１７０ｄが白表示となっている。
【００２６】
この状態から、図８（ｂ）に示した表示状態となるために、まず、透明電極１３２及び表示電極１１０ａ，１１０ｃにそれぞれＬｏｗレベル電位を印加するとともに、表示電極１１０ｂ，１１０ｄにＨｉｇｈレベル電位を印加する。すると、図１１（ｂ）に示すように、情報表示層１４０のうち表示電極１１０ａと対向する領域においては、表示電極１１０ａが透明電極１３２と同電位であることにより、帯電性粒子１４３が表示電極１１０ａ側に引き寄せられた状態のままとなり、また、情報表示層１４０のうち表示電極１１０ｃと対向する領域においては、表示電極１１０ｃが透明電極１３２と同電位であることにより、帯電性粒子１４３が透明電極１３２側に引き寄せられた状態のままとなる。また、情報表示層１４０のうち表示電極１１０ｂと対向する領域においては、透明電極１３２にＬｏｗレベル電位が印加され、表示電極１１０ｂにＨｉｇｈレベル電位が印加されていることにより、帯電性粒子１４３が隔壁内液体１４２内を移動し、透明電極１３２側に引き寄せられていく。また、情報表示層１４０のうち表示電極１１０ｄと対向する領域においては、透明電極１３２にＬｏｗレベル電位が印加され、表示電極１１０ｄにＨｉｇｈレベル電位が印加されていることにより、透明電極１３２側に引き寄せられている帯電性粒子１４３が透明電極１３２側にさらに引き寄せられる力が働き、帯電性粒子１４３が透明電極１３２側に引き寄せられた状態のままとなる。
【００２７】
次に、透明電極１３２及び表示電極１１０ｂ，１１０ｄにそれぞれＨｉｇｈレベル電位を印加するとともに、表示電極１１０ａ，１１０ｃにＬｏｗレベル電位を印加する。すると、図１１（ｃ）に示すように、情報表示層１４０のうち表示電極１１０ａと対向する領域においては、透明電極１３２にＨｉｇｈレベル電位が印加され、表示電極１１０ａにＬｏｗレベル電位が印加されていることにより、表示電極１１０ａ側に引き寄せられていた帯電性粒子１４３が表示電極１１０ａ側にさらに引き寄せられる力が働き、帯電性粒子１４３表示電極１１０ａ側に引き寄せられた状態のままとなる。また、情報表示層１４０のうち表示電極１１０ｂ，１１０ｄと対向する領域においては、表示電極１１０ｂ，１１０ｄが透明電極１３２と同電位であることにより、帯電性粒子１４３が透明電極１３２側に引き寄せられた状態のままとなる。また、情報表示層１４０のうち表示電極１１０ｃと対向する領域においては、透明電極１３２にＨｉｇｈレベル電位が印加され、表示電極１１０ｃにＬｏｗレベル電位が印加されていることにより、帯電性粒子１４３が隔壁内液体１４２内を移動し、表示電極１１０ｃ側に引き寄せられていく。
【００２８】
このようにして、図１１（ｄ）に示すように、情報表示層１４０のうち表示電極１１０ａと対向する領域においては、表示電極１１０ａ側に引き寄せられていた帯電性粒子１４３が表示電極１１０ａ側に引き寄せられた状態のままとなり、情報表示層１４０のうち表示電極１１０ｂと対向する領域においては、表示電極１１０ｂ側に引き寄せられていた帯電性粒子１４３が透明電極１３２側に引き寄せられた状態となり、情報表示層１４０のうち表示電極１１０ｃと対向する領域においては、透明電極１３２側に引き寄せられていた帯電性粒子１４３が表示電極１１０ｃ側に引き寄せられた状態となり、情報表示層１４０のうち表示電極１１０ｄと対向する領域においては、透明電極１３２側に引き寄せられていた帯電性粒子１４３が透明電極１３２側に引き寄せられた状態のままとなり、電気泳動ディスプレイに表示される情報が、図８（ａ）に示したような情報“６：２２”から、図８（ｂ）に示したような情報“６：２３”に変化することになる。
【００２９】
なお、本例においても、図９及び図１０に示した例と同様に、上述したような処理が、表示電極１１０ａ〜１１０ｄと透明電極１３２のいずれか一方の側に引き寄せられていた帯電性粒子１４３が隔壁内液体１４２内を移動して反対側に引き寄せられるまでにかかる時間内で複数回繰り返し行われている。
【００３０】
図１２は、図１１に示した駆動方法において透明電極１３２及び表示電極１１０に印加される電位を示すタイミングチャートであり、（ａ）は透明電極１３２に印加される電位を示す図、（ｂ）は表示部１７０ａに対応する表示電極１１０ａに印加される電位を示す図、（ｃ）は表示部１７０ｂに対応する表示電極１１０ｂに印加される電位を示す図、（ｄ）は表示部１７０ｃに対応する表示電極１１０ｃに印加される電位を示す図、（ｅ）は表示部１７０ｄに対応する表示電極１１０ｄに印加される電位を示す図である。
【００３１】
図６及び図７に示した電気泳動ディスプレイに対して図１１に示したような駆動を行う場合、表示電極１１０ａ〜１１０ｄには、Ｈｉｇｈレベル電位とＬｏｗレベル電位のいずれか一方が常に印加されるのに対して、透明電極１３２には、図１１（ｂ）に示した工程と図１１（ｃ）に示した工程とで、Ｈｉｇｈレベル電位とＬｏｗレベル電位とが交互に印加される。そのため、図１２に示すように、透明電極１３２に対しては、表示電極１１０ａ〜１１０ｄと透明電極１３２のいずれか一方の側に引き寄せられていた帯電性粒子１４３が隔壁内液体１４２内を移動して反対側に引き寄せられるまでにかかる時間内において、Ｈｉｇｈレベル電位の印加とＬｏｗレベル電位の印加とを複数回交互に印加する。
【００３２】
それにより、表示電極１１０ｂが形成された領域が黒表示から白表示に変化した時間と、表示電極１１０ｃが形成された領域が白表示から黒表示に変化した時間とのずれを小さくすることができる。
【先行技術文献】
【特許文献】
【００３３】
【特許文献１】特開２００７―１１４３０２号公報
【発明の概要】
【発明が解決しようとする課題】
【００３４】
しかしながら、上述したような表示装置の駆動方法においては、以下に記載するような問題点がある。
【００３５】
図９及び図１０に示したものにおいては、表示が変化しない領域では、表示電極と透明電極とが同電位に保たれるため、表示電極と透明電極とにそれぞれ引き寄せられていた帯電性粒子が拡散し、それにより、コントラストが低下し、表示していた情報のメモリ性が低下してしまう。
【００３６】
図１１及び図１２に示したものにおいては、表示が変化しない領域では、帯電性粒子を移動させる必要がないにも関わらず、表示電極と透明電極とに互いに異なる電位が印加されることによってバイアスがかかっており、それにより、帯電性粒子の表示電極あるいは透明電極に対する焼き付けが生じ、その後、その領域の情報が変化しにくくなってしまう。
【００３７】
上述したような問題点は、表示が変化しない時間が長くなるほど生じる可能性が高くなる。例えば、上述した電気泳動ディスプレイのように時間を表示する場合に、時を表示する領域等においては、１時間もの間、上述したような現象が生じる状態が維持されるため、情報が正確にかつ明瞭に表示されなくなってしまう虞れがある。
【００３８】
本発明は、上述したような従来の技術が有する問題点に鑑みてなされたものであって、電位が印加されることにより情報を表示し、その後、電位が印加されなくなってもその表示状態が維持される表示装置について、情報が変化しない領域においてもそのコントラストの低下を抑制することができるとともに、その後、その領域において情報が変化しにくくなることを回避することができる、表示装置の駆動方法を提供することを目的とする。
【課題を解決するための手段】
【００３９】
上記目的を達成するために本発明は、
表示する情報に応じて第１及び第２の電位のいずれか一方が選択的に印加される複数の表示電極と、前記複数の表示電極に対向配置され、表示する情報に応じて前記第１及び第２の電位のいずれか一方が印加される共通電極と、帯電性粒子を具備して前記複数の表示電極と前記共通電極との間に挟み込まれて配置され、前記複数の表示電極に対向する領域のそれぞれについて、前記表示電極と前記共通電極とが同電位の領域では前記帯電性粒子が前記表示電極と前記共通電極との間を移動せず、前記表示電極に前記第１の電位が印加され前記共通電極に前記第２の電位が印加された領域では前記帯電性粒子が前記表示電極に引き寄せられ、前記表示電極に前記第２の電位が印加され前記共通電極に前記第１の電位が印加された領域では前記帯電性粒子が前記共通電極に引き寄せられることにより情報を表示する情報表示層とを有する表示装置の駆動方法であって、
前記情報表示層のうち前記帯電性粒子が前記表示電極側に引き寄せられた第１及び第２の領域と、前記情報表示層のうち前記帯電性粒子が前記共通電極側に引き寄せられた第３及び第４の領域について、前記第１及び第４の領域の表示を維持し、前記第２及び第３の領域の表示を変化させる場合、
前記共通電極、並びに前記第１、第３及び第４の領域に対向する表示電極に前記第１の電位を印加するとともに、前記第２の領域に対向する表示電極に前記第２の電位を印加する第１の工程と、
前記共通電極、並びに前記第１、第２及び第４の領域に対向する表示電極に前記第２の電位を印加するとともに、前記第３の領域に対向する表示電極に前記第１の電位を印加する第２の工程と、
前記共通電極、並びに前記第１及び第３の領域に対向する表示電極に前記第１の電位を印加するとともに、前記第２及び第４の領域に対向する表示電極に前記第２の電位を印加する第３の工程と、
前記共通電極、並びに前記第２及び第４の領域に対向する表示電極に前記第２の電位を印加するとともに、前記第１及び第３の領域に対向する表示電極に前記第１の電位を印加する第４の工程とを有し、
前記第１の工程の時間と前記第３の工程の時間とを加算した時間、及び前記第２の工程の時間と前記第４の工程の時間とを加算した時間はそれぞれ、前記第２及び第３の領域において前記帯電性粒子が前記共通電極と前記表示電極との間を移動する時間以上である。
【００４０】
上記のように構成された本発明においては、表示電極と共通電極とが同電位の領域では情報表示層の帯電性粒子が表示電極と共通電極との間を移動せず、表示電極に第１の電位が印加され共通電極に第２の電位が印加された領域では帯電性粒子が表示電極に引き寄せられ、表示電極に第２の電位が印加され共通電極に第１の電位が印加された領域では帯電性粒子が共通電極に引き寄せられるものにおいて、情報表示層のうち第１及び第２の領域において帯電性粒子が表示電極側に引き寄せられ、情報表示層のうち第３及び第４の領域において帯電性粒子が共通電極側に引き寄せられた状態から、第１及び第４の領域の表示を維持し、第２及び第３の領域の表示を変化させる場合、第１の工程において、共通電極、並びに第１、第３及び第４の領域に対向する表示電極に第１の電位を印加するとともに、第２の領域に対向する表示電極に第２の電位を印加すると、第１、第３及び第４の領域においては表示電極と共通電極とが同電位であるため、第１の領域においては帯電性粒子が表示電極側に引き寄せられたままの状態となり、また、第３及び第４の領域においては帯電性粒子が共通電極側に引き寄せられたままの状態となる。また、第２の領域においては、共通電極に第１の電位が印加されるとともに表示電極に第２の電位が印加されることにより、表示電極側に引き寄せられていた帯電性粒子が共通電極に引き寄せられていく。第２の工程において、共通電極、並びに第１、第２及び第４の領域に対向する表示電極に第２の電位を印加するとともに、第３の領域に対向する表示電極に第１の電位を印加すると、第１、第２及び第４の領域においては表示電極と共通電極とが同電位であるため、第１の領域においては帯電性粒子が表示電極側に引き寄せられたままの状態となり、また、第２の領域においては、帯電性粒子が表示電極側に引き寄せられていく途中の状態のままとなり、また、第４の領域においては帯電性粒子が共通電極側に引き寄せられたままの状態となる。また、第３の領域においては、共通電極に第２の電位が印加されるとともに表示電極に第１の電位が印加されることにより、共通電極側に引き寄せられていた帯電性粒子が表示電極に引き寄せられていく。第３の工程において、共通電極、並びに第１及び第３の領域に対向する表示電極に第１の電位を印加するとともに、第２及び第４の領域に対向する表示電極に第２の電位を印加すると、第１及び第３の領域においては表示電極と共通電極とが同電位であるため、第１の領域においては帯電性粒子が表示電極側に引き寄せられたままの状態となり、また、第３の領域においては帯電性粒子が共通電極側に引き寄せられていく途中の状態のままとなる。また、第２及び第４の領域においては、共通電極に第１の電位が印加されるとともに表示電極に第２の電位が印加されることにより、第２の領域においては帯電性粒子が共通電極側に引き寄せられていき、また、第４の領域においては、共通電極側に引き寄せられていた帯電性粒子が共通電極側にさらに引き寄せられる力が働く。第４の工程において、共通電極、並びに第２及び第４の領域に対向する表示電極に第２の電位を印加するとともに、第１及び第３の領域に対向する表示電極に第１の電位を印加すると、第２及び第４の領域においては表示電極と共通電極とが同電位であるため帯電性粒子が共通電極側に引き寄せられたままの状態となる。また、第１及び第３の領域においては、共通電極に第２の電位が印加されるとともに表示電極に第１の電位が印加されることにより、第１の領域においては、表示電極側に引き寄せられていた帯電性粒子が表示電極側にさらに引き寄せられる力が働き、また、第３の領域においては帯電性粒子が表示電極側に引き寄せられていく。そして、第１の工程の時間と第３の工程の時間とを加算した時間、及び第２の工程の時間と第４の工程の時間とを加算した時間がそれぞれ、第２及び第３の領域において帯電性粒子が共通電極と表示電極との間を移動する時間以上であることにより、上記第１〜第４の工程を行うことによって、第２に領域おいて表示電極側に引き寄せられていた帯電性粒子が共通電極側に引き寄せられ、また、第３の領域において共通電極側に引き寄せられていた帯電性粒子が表示電極側に引き寄せられ、第２及び第３の領域の表示が変化することになる。
【００４１】
ここで、情報の表示が維持される第１及び第４の領域においては、第１及び第２の工程において表示電極と共通電極とが同電位となり、また、第３及び第４の工程において帯電性粒子が表示電極または共通電極に表示を維持したまま引き寄せられるような電位が表示電極及び共通電極に印加されている。それにより、情報の表示が維持される領域において、表示電極と共通電極とが同電位に保たれることによるコントラストの低下を抑制することができるとともに、表示電極と共通電極とに互いに異なる電位が印加され続けることによってその後に情報が変化しにくくなることを回避することができるようになる。
【発明の効果】
【００４２】
以上説明したように本発明においては、表示を変化させるために表示電極と共通電極とに電位を印加する工程において、表示を維持する領域について、表示電極と共通電極とを同電位とする工程と、帯電性粒子が表示電極または共通電極に表示を維持したまま引き寄せられるような電位を表示電極及び共通電極に印加する工程とを有する構成としたため、電位が印加されることにより情報を表示し、その後、電位が印加されなくなってもその表示状態が維持される表示装置について、情報が変化しない領域においてもそのコントラストの低下を抑制することができるとともに、その後、その領域において情報が変化しにくくなることを回避することができる。
【図面の簡単な説明】
【００４３】
【図１】本発明の表示装置の駆動方法によって駆動する表示装置の一形態となる電気泳動ディスプレイの積層構造を示す図であり、（ａ）は全体の積層構造を示す図、（ｂ）は（ａ）に示したＡ部拡大図である。
【図２】図１に示した電気泳動ディスプレイの動作を説明するための図であり、（ａ）は情報表示層の状態を示す図であり、（ｂ）は表示される情報を示す図である。
【図３】図１及び図２に示した電気泳動ディスプレイにおける表示の変化例を示す図であり、（ａ）は変化前の情報を示す図、（ｂ）は変化後の情報を示す図である。
【図４】図１及び図２に示した電気泳動ディスプレイにおいて図３に示したように情報を変化させる場合の駆動方法の実施の一形態を説明するための図である。
【図５】図４に示した駆動方法において透明電極及び表示電極に印加される電位を示すタイミングチャートである。
【図６】一般的な電気泳動ディスプレイの積層構造を示す図であり、（ａ）は全体の積層構造を示す図、（ｂ）は（ａ）に示したＡ部拡大図である。
【図７】図６に示した電気泳動ディスプレイの動作を説明するための図であり、（ａ）は情報表示層の状態を示す図であり、（ｂ）は表示される情報を示す図である。
【図８】図６及び図７に示した電気泳動ディスプレイにおける表示の変化例を示す図であり、（ａ）は変化前の情報を示す図、（ｂ）は変化後の情報を示す図である。
【図９】図６及び図７に示した電気泳動ディスプレイにおいて図８に示したように情報を変化させる場合の駆動方法の一例を説明するための図である。
【図１０】図９に示した駆動方法において透明電極及び表示電極に印加される電位を示すタイミングチャートである。
【図１１】図６及び図７に示した電気泳動ディスプレイにおいて図８に示したように情報を変化させる場合の駆動方法の他の例を説明するための図である。
【図１２】図１１に示した駆動方法において透明電極及び表示電極に印加される電位を示すタイミングチャートである。
【発明を実施するための形態】
【００４４】
以下に、本発明の実施の形態について図面を参照して説明する。
【００４５】
図１は、本発明の表示装置の駆動方法によって駆動する表示装置の一形態となる電気泳動ディスプレイの積層構造を示す図であり、（ａ）は全体の積層構造を示す図、（ｂ）は（ａ）に示したＡ部拡大図である。
【００４６】
本形態における電気泳動ディスプレイは図１に示すように、表示する情報に応じた複数の表示電極１０がベース基板２０上に形成されてなる表示装置用電極基板１に、表示装置用電極基板１の表示電極１０に印加された電位に応じて情報を表示するディスプレイ部２が積層されて構成されている。表示電極１０は、ベース基板２０に形成された配線（不図示）を介して、表示する情報に応じた電位が印加される。ディスプレイ部２は、ガラス等からなる透明基板３１の一方の面に共通電極となる透明電極（例えば、ＩＴＯ：Indium Tin Oxide）３２が形成されてなる透明導電膜基板３０の透明電極３２側に、表示装置用電極基板１の表示電極１０及び透明電極３２に印加された電位に応じて情報を表示する情報表示層４０が積層されて構成されている。情報表示層４０は、隔壁４１とシール層４４とで囲まれた領域に、帯電性粒子４３が分散した隔壁内液体４２が収容されて構成されている。そして、これら表示装置用電極基板１、情報表示層４０及び透明導電膜基板３０は、透明電極３２と表示電極１０とが、隔壁４１とシール層４４とで囲まれた領域に収容された隔壁内液体４２を介して対向するように積層されている。すなわち、複数の表示電極１０と透明電極３２とが対向配置され、この複数の表示電極１０と透明電極３２との間に情報表示層３０が挟み込まれて構成されている。なお、隔壁４１は、底部と、情報表示層４０の外周部となる側部と、側部で囲まれた領域を複数の領域に区画するための壁部とからなり、底部とは反対側の面が開口した形状となっている。そして、底部側が表示装置用電極基板１０に対向するように積層されており、開口した側にシール層４４が積層されている。
【００４７】
以下に、上記のように構成された電気泳動ディスプレイの駆動方法について説明する。
【００４８】
図２は、図１に示した電気泳動ディスプレイの動作を説明するための図であり、（ａ）は情報表示層３０の状態を示す図であり、（ｂ）は表示される情報を示す図である。
【００４９】
図１に示した電気泳動ディスプレイにて情報を表示する場合、例えば、透明電極３２を第１の電位であるＬｏｗレベル電位とするとともに、複数の表示電極１０に対して第２の電位であるＨｉｇｈレベル電位またはＬｏｗレベル電位を選択的に印加する。すると、隔壁４１及びシール層４４で囲まれた領域に収容された隔壁内液体４２が誘電性物質からなり、帯電性粒子４３がプラス電位に帯電しているものであることから、図２（ａ）に示すように、情報表示層４０のうちＨｉｇｈレベル電位が印加された表示電極１０に対向する領域においては、帯電性粒子４３がクーロン力によって透明電極３２側に引き寄せられ、また、Ｌｏｗレベル電位が印加された表示電極１０に対向する領域においては、透明電極３２と表示電極１０とが同電位であることにより帯電性粒子４３が隔壁内液体４２内を移動しない。また、透明電極３２をＨｉｇｈレベル電位とした場合は、情報表示層４０のうちＨｉｇｈレベル電位が印加された表示電極１０に対向する領域においては、透明電極３２と表示電極１０とが同電位であることにより帯電性粒子４３が隔壁内液体４２内を移動せず、また、Ｌｏｗレベル電位が印加された表示電極１０に対向する領域においては、帯電性粒子４３がクーロン力によって表示電極１０側に引き寄せられる。
【００５０】
そして、隔壁内液体４２が染料または顔料で着色されており、帯電性粒子４３が高屈折率の光散乱成分を含むため、図２（ｂ）に示すように、表示電極１０側に帯電性粒子４２が引き寄せられた領域が着色された黒表示部５０となり、また、透明電極３２側に帯電性粒子４２が引き寄せられた領域が白表示部６０となり、それにより、透明導電膜基板３０を表示装置用電極基板１とは反対側から見た場合、この黒表示部５０と白表示部６０とによる情報が見えるようになる。
【００５１】
このように、本形態における電気泳動ディスプレイにおいては、情報表示層４０において、複数の表示電極１０に対向する領域毎に、表示電極１０及び透明電極３２に印加される電位に応じて、帯電性粒子４３が隔壁内液体４２内を表示電極１０または透明電極３２に引き寄せられるように移動したり、帯電性粒子４３が隔壁内液体４２内を移動せずに留まったりすることにより、黒表示部５０と白表示部６０とによる情報が表現されることになる。
【００５２】
ここで、上記のように表示された情報を変化させるための駆動方法について説明する。
【００５３】
図３は、図１及び図２に示した電気泳動ディスプレイにおける表示の変化例を示す図であり、（ａ）は変化前の情報を示す図、（ｂ）は変化後の情報を示す図である。
【００５４】
本例においては、図１及び図２に示した電気泳動ディスプレイにおいて、図３（ａ）に示すような“６：２２”という時刻が表示された状態から、図３（ｂ）に示すような“６：２３”という時刻が表示された状態に変化させる場合について説明する。
【００５５】
図３に示すように、“６：２２”という時刻が表示された状態から、“６：２３”という時刻が表示された状態に変化させる場合、表示部７０ａにおいては黒表示のままであり、表示部７０ｂにおいては黒表示から白表示に変化する。また、表示部７０ｃにおいては白表示から黒表示に変化し、表示部７０ｄにおいては白表示のままである。
【００５６】
図４は、図１及び図２に示した電気泳動ディスプレイにおいて図３に示したように情報を変化させる場合の駆動方法の実施の一形態を説明するための図である。なお、図４においては、図３に示した表示部７０ａ〜７０ｄに対応する表示電極をそれぞれ表示電極１０ａ〜１０ｄとして示している。
【００５７】
初期状態として、図４（ａ）に示すように、情報表示層４０のうち表示電極１０ａに対向する第１の領域においては帯電性粒子４３が表示電極１０ａ側に引き寄せられ、情報表示層４０のうち表示電極１０ｂに対向する第２の領域においても帯電性粒子１４３が表示電極１０ｂ側に引き寄せられ、また、情報表示層４０のうち表示電極１０ｃに対向する第３の領域においては帯電性粒子４３が透明電極３２側に引き寄せられ、情報表示層４０のうち表示電極１０ｄに対向する第４の領域においても帯電性粒子４３が透明電極３２側に引き寄せられ、それにより、図３（ａ）に示したように、表示部７０ａ，７０ｂが黒表示となり、また、表示部７０ｃ，７０ｄが白表示となっている。
【００５８】
この状態から、図３（ｂ）に示した表示状態とするために、まず、第１の工程として、透明電極３２、並びに情報表示層４０の第１、第３及び第４の領域にそれぞれ対向する表示電極１０ａ，１０ｃ，１０ｄにそれぞれＬｏｗレベル電位を印加するとともに、情報表示層４０の第２の領域に対向する表示電極１０ｂにＨｉｇｈレベル電位を印加する。すると、図４（ｂ）に示すように、情報表示層４０のうち表示電極１０ａに対向する領域においては、表示電極１０ａが透明電極３２と同電位であることにより、帯電性粒子４３が表示電極１０ａ側に引き寄せられた状態のままとなり、また、情報表示層４０のうち表示電極１０ｃ，１０ｄに対向する領域においては、表示電極１０ｃ，１０ｄが透明電極３２と同電位であることにより、帯電性粒子４３が透明電極３２側に引き寄せられた状態のままとなる。また、情報表示層４０のうち表示電極１０ｂに対向する領域においては、透明電極３２にＬｏｗレベル電位が印加され、表示電極１０ｂにＨｉｇｈレベル電位が印加されていることにより、帯電性粒子４３が隔壁内液体４２内を移動し、透明電極３２側に引き寄せられていく。
【００５９】
次に、第２の工程として、透明電極３２及び表示電極１０ａ，１０ｂ，１０ｄにそれぞれＨｉｇｈレベル電位を印加するとともに、表示電極１０ｃにＬｏｗレベル電位を印加する。すると、図４（ｃ）に示すように、情報表示層４０のうち表示電極１０ａに対向する領域においては、表示電極１０ａが透明電極３２と同電位であることにより、帯電性粒子４３が表示電極１０ａ側に引き寄せられた状態のままとなり、また、情報表示層４０のうち表示電極１０ｄに対向する領域においては、表示電極１０ｄが透明電極３２と同電位であることにより、帯電性粒子４３が透明電極３２側に引き寄せられた状態のままとなる。また、情報表示層４０のうち表示電極１０ｂに対向する領域においては、表示電極１０ｂが透明電極３２と同電位であることにより、第１の工程において帯電性粒子４３が透明電極３２側に引き寄せられていく途中の状態のままとなる。また、情報表示層４０のうち表示電極１０ｃと対向する領域においては、透明電極３２にＨｉｇｈレベル電位が印加され、表示電極１０ｃにＬｏｗレベル電位が印加されていることにより、帯電性粒子４３が隔壁内液体４２内を移動し、表示電極１０ｃ側に引き寄せられていく。
【００６０】
次に、第３の工程として、透明電極３２及び表示電極１０ａ，１０ｃにそれぞれＬｏｗレベル電位を印加するとともに、表示電極１０ｂ，１０ｄにＨｉｇｈレベル電位を印加する。すると、図４（ｄ）に示すように、情報表示層４０のうち表示電極１０ａと対向する領域においては、表示電極１０ａが透明電極３２と同電位であることにより、帯電性粒子４３が表示電極１０ａ側に引き寄せられた状態のままとなり、また、情報表示層４０のうち表示電極１０ｃと対向する領域においては、表示電極１０ｃが透明電極３２と同電位であることにより、第２の工程において帯電性粒子４３が表示電極１０ｃ側に引き寄せられていく途中の状態のままとなる。また、情報表示層４０のうち表示電極１０ｂが形成された領域においては、透明電極３２にＬｏｗレベル電位が印加され、表示電極１０ｂにＨｉｇｈレベル電位が印加されていることにより、透明電極３２側に引き寄せられていく途中の状態であった帯電性粒子４３が透明電極３２側にさらに引き寄せられていく。また、情報表示層４０のうち表示電極１０ｄが形成された領域においては、透明電極３２にＬｏｗレベル電位が印加され、表示電極１０ｄにＨｉｇｈレベル電位が印加されていることにより、帯電性粒子４３が透明電極３２側に引き寄せられる力が働き、帯電性粒子４３が透明電極３２側に引き寄せられた状態のままとなる。
【００６１】
次に、第４の工程において、透明電極３２及び表示電極１０ｂ，１０ｄにそれぞれＨｉｇｈレベル電位を印加するとともに、表示電極１０ａ，１０ｃにＬｏｗレベル電位を印加する。すると、図４（ｅ）に示すように、情報表示層４０のうち表示電極１０ｂ，１０ｄと対向する領域においては、表示電極１０ｂ，１０ｄが透明電極３２と同電位であることにより、帯電性粒子４３が透明電極３２側に引き寄せられた状態のままとなる。また、情報表示層４０のうち表示電極１０ａと対向する領域においては、透明電極３２にＨｉｇｈレベル電位が印加され、表示電極１０ａにＬｏｗレベル電位が印加されていることにより、表示電極１０ａ側に引き寄せられている帯電性粒子４３が表示電極１０ａ側にさらに引き寄せられる力が働き、帯電性粒子４３が表示電極１０ａ側に引き寄せられた状態のままとなる。また、情報表示層４０のうち表示電極１０ｃが形成された領域においては、透明電極３２にＨｉｇｈレベル電位が印加され、表示電極１０ｃにＬｏｗレベル電位が印加されていることにより、表示電極１０ｃ側に引き寄せられていく途中の状態であった帯電性粒子４３が表示電極１０ｃ側に引き寄せられていく。
【００６２】
このようにして、図４（ｆ）に示すように、情報表示層４０のうち表示電極１０ａと対向する領域においては、表示電極１０ａ側に引き寄せられていた帯電性粒子４３が表示電極１０ａ側に引き寄せられた状態のままとなり、情報表示層４０のうち表示電極１０ｂと対向する領域においては、表示電極１０ｂ側に引き寄せられていた帯電性粒子４３が透明電極３２側に引き寄せられた状態となり、情報表示層４０のうち表示電極１０ｃと対向する領域においては、透明電極３２側に引き寄せられていた帯電性粒子４３が表示電極１０ｃ側に引き寄せられた状態となり、情報表示層４０のうち表示電極１０ｄと対向する領域においては、透明電極３２側に引き寄せられていた帯電性粒子４３が透明電極３２側に引き寄せられた状態のままとなり、電気泳動ディスプレイに表示される情報が、図３（ａ）に示したような情報“６：２２”から、図３（ｂ）に示したような情報“６：２３”に変化することになる。
【００６３】
ここで、上述したような電気泳動ディスプレイにおいては、表示電極１０ａ〜１０ｄと透明電極３２のいずれか一方の側に引き寄せられていた帯電性粒子４３が隔壁内液体４２内を移動して反対側に引き寄せられるまでにある程度の時間がかかる。そのため、上述したような処理をその時間内において１工程で行った場合、黒表示から白表示に変化する領域と、白表示から黒表示に変化する領域とで、表示の変化にずれが発生し、その変化のずれが肉眼で認識されてしまう。
【００６４】
そこで、上述したような処理が、表示電極１０ａ〜１０ｄと透明電極３２のいずれか一方の側に引き寄せられていた帯電性粒子４３が隔壁内液体４２内を移動して反対側に引き寄せられるまでにかかる時間内で複数回繰り返し行われている。
【００６５】
図５は、図４に示した駆動方法において透明電極３２及び表示電極１０に印加される電位を示すタイミングチャートであり、（ａ）は透明電極３２に印加される電位を示す図、（ｂ）は表示部７０ａに対応する表示電極１０ａに印加される電位を示す図、（ｃ）は表示部７０ｂに対応する表示電極１０ｂに印加される電位を示す図、（ｄ）は表示部７０ｃに対応する表示電極１０ｃに印加される電位を示す図、（ｅ）は表示部７０ｄに対応する表示電極１０ｄに印加される電位を示す図である。
【００６６】
図１及び図２に示した電気泳動ディスプレイに対して図４に示したような駆動を行う場合、図４（ｂ）に示した第１の工程及び図４（ｄ）に示した第３の工程において、情報表示層４０のうち表示電極１０ｂに対向する領域において表示電極１０ｂ側に引き寄せられていた帯電性粒子４３を透明電極３２側に引き寄せ、図４（ｃ）に示した第２の工程及び図４（ｅ）に示した第４の工程において、情報表示層４０のうち表示電極１０ｃに対向する領域において透明電極３２側に引き寄せられていた帯電性粒子４３を表示電極１０ｃ側に引き寄せることになる。そのため、帯電性粒子４３が表示電極１０ｂ，１０ｃと透明電極３２との間を移動する時間によっては、上述したように、情報表示層４０のうち表示電極１０ｂに対向する領域における表示の変化と、情報表示層４０のうち表示電極１０ｃに対向する領域における表示の変化とにずれが生じてしまう。
【００６７】
そこで、図５に示すように、第１の工程及び第２の工程においては、表示電極１０ｂ，１０ｃにＨｉｇｈレベル電位とＬｏｗレベル電位のいずれか一方を常に印加しておき、透明電極３２に対して、表示電極１０ｂ，１０ｃと透明電極３２のいずれか一方の側に引き寄せられていた帯電性粒子４３が隔壁内液体４２内を移動して反対側に引き寄せられるまでにかかる時間内において、Ｈｉｇｈレベル電位とＬｏｗレベル電位とを複数回交互に印加する。これにより、情報表示層４０のうち表示電極１０ｂと対向する領域が黒表示から白表示に変化した時間と、情報表示層４０のうち表示電極１０ｃと対向する領域が白表示から黒表示に変化した時間とのずれを小さくすることができる。また、それに伴って、表示電極１０ａ，１０ｄについては、第１及び第２の工程において透明電極３２と同電位とするために、Ｈｉｇｈレベル電位とＬｏｗレベル電位とを複数回交互に印加する。
【００６８】
以下に、本形態における作用について説明する。
【００６９】
本形態においては、情報表示層４０のうち表示電極１０ａ，１０ｄに対向する領域の表示が維持されるが、そのために、第１の工程において表示電極１０ａ，１０ｄと透明電極３２とにそれぞれＬｏｗレベル電位が印加され、また、第２の工程において表示電極１０ａ，１０ｄと透明電極３２とにそれぞれＨｉｇｈレベル電位が印加され、表示電極１０ａ，１０ｄと透明電極３２とが第１及び第２の工程において同電位とされることにより、表示電極１０ａに対向する領域においては表示電極１０ａ側に引き寄せられた帯電性粒子４３が表示電極１０ａ側に引き寄せられたままの状態とし、また、表示電極１０ｄに対向する領域においては透明電極３２側に引き寄せられた帯電性粒子４３が透明電極３２側に引き寄せられたままの状態としている。ところが、このように表示電極１０ａ，１０ｄと透明電極３２とが同電位に保たれた場合、上述したように、表示電極１０ａ，１０ｄと透明電極３２とにそれぞれ引き寄せられていた帯電性粒子４３が拡散し、それにより、コントラストが低下し、表示していた情報のメモリ性が低下してしまう。
【００７０】
そこで、本形態においては、第３の工程において、透明電極３２にＬｏｗレベル電位を印加するとともに表示電極１０ｄにＨｉｇｈレベル電位を印加し、情報表示層４０のうち表示電極１０ｄに対向する領域において、透明電極３２側に引き寄せられている帯電性粒子４３が透明電極３２側にさらに引き寄せられる力を働かせ、透明電極３２側に引き寄せられた帯電性粒子４３が拡散することが回避されている。
【００７１】
また、第４の工程において、透明電極３２にＨｉｇｈレベル電位を印加するとともに表示電極１０ａにＬｏｗレベル電位を印加し、情報表示層４０のうち表示電極１０ａに対向する領域において、表示電極１０ａ側に引き寄せられている帯電性粒子４３が表示電極１０ａ側にさらに引き寄せられる力を働かせ、表示電極１０ａ側に引き寄せられた帯電性粒子４３が拡散することが回避されている。
【００７２】
このように、表示電極１０ａ，１０ｄと対向する領域における表示を維持するために、表示電極１０ａ，１０ｄと透明電極３２とを同電位とする工程に、表示電極１０ａあるいは透明電極３２に引き寄せられていた帯電性粒子４３がさらに表示電極１０ａあるいは透明電極３２に引き寄せられるような電位を表示電極１０ａ，１０ｄ及び透明電極３２に印加する工程を加えることにより、表示電極１０ａ，１０ｄと対向する領域における表示を維持するために表示電極１０ａ，１０ｄと透明電極３２とを同電位とすることによるコントラストの低下を抑制することができる。
【００７３】
また、第３の工程や第４の工程のように、表示電極１０ａあるいは透明電極３２に引き寄せられていた帯電性粒子４３がさらに表示電極１０ａあるいは透明電極３２に引き寄せられるような電位を表示電極１０ａ，１０ｄ及び透明電極３２に印加する場合、それだけでは、上述したように、帯電性粒子４３の表示電極１０ａあるいは透明電極３２に対する焼き付けが生じ、その後、その領域の情報が変化しにくくなってしまう。
【００７４】
そこで、情報表示層４０のうち表示電極１０ｂ，１０ｃに対向する領域にて表示される情報を変化させる１工程の中で、上述した第１〜第４の工程を行うことになる。例えば、帯電性粒子４３が表示電極１０ｂ，１０ｃと透明電極３２との間を移動するためにかかる時間が１秒である場合、図５に示すように、まず、第１の工程と第２の工程とを０．１秒毎に交互に９回ずつ行い、その後、第３の工程と第４の工程とを０．１秒ずつ交互に１回行う。このように、第１の工程の時間と第３の工程の時間とを加算した時間、及び第２の工程の時間と第４の工程の時間とを加算した時間がそれぞれ、帯電性粒子４３が透明電極３２と表示電極１０ｂ，１０ｃとの間を移動する時間以上となるように、それぞれの工程の時間を設定する。これは、表示電極１０ｂ側に引き寄せられていた帯電性粒子４３が第１及び第３の工程によって透明電極３２側に完全に引き寄せられ、また、透明電極３２側に引き寄せられていた帯電性粒子４３が第２及び第４の工程によって表示電極１０ｃ側に完全に引き寄せられるためである。
【００７５】
なお、上述した第１〜第４の工程の順序や、それぞれの工程の１回の時間及び回数については、上述したものに限らず、第１の工程の時間と第３の工程の時間とを加算した時間、及び第２の工程の時間と第４の工程の時間とを加算した時間がそれぞれ、帯電性粒子４３が透明電極３２と表示電極１０ｂ，１０ｃとの間を移動する時間以上となるように設定されていればよい。例えば、表示のメモリ性が低く、上述したようなコントラストが低下しやすいものにおいては、第３及び第４の工程の時間や回数の割合を多くし、また、帯電性粒子４３が表示電極１０や透明電極３２に焼き付けしやすいものにおいては、第１及び第２の工程の時間や回数を多くすることが考えられる。
【００７６】
なお、本形態は、表示電極１０及び透明電極３２に選択的に印加された電位に応じて帯電性粒子４３が表示電極１０または透明電極３２側に引き寄せられる電気泳動ディスプレイの駆動方法を例に挙げて説明したが、本発明の駆動方法によって駆動する表示装置はこれに限らず、エレクトロクロミック方式のもの等、電位が印加されることによって情報が表示され、電位が印加されなくなった後においてもその表示が維持されるメモリ性を有するものであれば適用することができる。
【符号の説明】
【００７７】
１    表示装置用電極基板
２    ディスプレイ部
１０，１０ａ〜１０ｄ    表示電極
２０    ベース基板
３０    透明導電膜基板
３１    透明基板
３２    透明電極
４０    情報表示層
４１    隔壁
４２    隔壁内液体
４３    帯電性粒子
４４    シール層
５０    黒表示部
６０    白表示部
７０ａ〜７０ｄ    表示部
【図１】
2011075640.tif 000003
【図２】
2011075640.tif 000004
【図３】
2011075640.tif 000005
【図４】
2011075640.tif 000006
【図５】
2011075640.tif 000007
【図６】
2011075640.tif 000008
【図７】
2011075640.tif 000009
【図８】
2011075640.tif 000010
【図９】
2011075640.tif 000011
【図１０】
2011075640.tif 000012
【図１１】
2011075640.tif 000013
【図１２】
2011075640.tif 000014